(57)【要約】  【課題】平行法による目視の仕方を容易に体得できる立体視訓練具を提供する。  【解決手段】透明シート１に、表示要素Ｂ１〜Ｂ４（Ｃ１〜Ｃ４・・・・・）が左右方向に間隔をあけて複数表示される。複数の表示要素のうち一部の表示要素の左右端位置同士での左右間隔を他の表示要素の左右端位置同士での左右間隔と相違させることによって、透明シート１を通して遠方を見たときに、一部の表示要素が他の表示要素に対して前後方向にずれて見える立体視状態とされる、【選択図】  図２
0003139376.tif 000002
【実用新案登録請求の範囲】
【請求項１】
透明シートに、表示要素が左右方向に間隔をあけて複数表示され、
前記複数の表示要素のうち一部の表示要素の左右端位置同士での左右間隔を他の表示要素の左右端位置同士での左右間隔と相違させることによって、透明シートを通して遠方を見たときに、前記一部の表示要素が前記他の表示要素に対して前後方向にずれて見える立体視状態とされる、
ことを特徴とする立体視訓練具。
【請求項２】
請求項１において、
前記表示要素が、外形線によって描かれた図形とされ、
前記図形を示す外形線の外側部分および内側部分がそれぞれ透明とされている、
ことを特徴とする立体視訓練具。
【請求項３】
請求項１において、
前記表示要素が、それぞれ全周を外形線で囲まれた大小複数の図形とされ、
大きな図形が、左右方向に間隔をあけて複数表示され、
小さな図形が、大きな図形の中に表示された状態で、左右方向に間隔をあけて複数表示され、
前記大きな図形の左右端位置同士での左右間隔と、前記小さな図形の左右端位置同士での左右間隔とが相違するように表示されて、透明シートを通して遠方を見たときに、大きな図形に対して小さな図形が前後方向にずれて見えるように設定されている、
ことを特徴とする立体視訓練具。
【請求項４】
請求項１ないし請求項３のいずれか１項において、
互いに相違する形状とされた複数種の表示要素が前記透明シートに表示されており、
互いに同一形状とされた複数の表示要素同士は互いに同一の上下位置でもって左右方向に間隔をあけて表示され、
互いに異なる形状の表示要素同士は、重ならないように上下方向にずらして表示され、
前記透明シートを通して遠方を見たときに、互いに同一形状の関係にある複数の表示要素同士は前後方向同一の位置に見えると共に、互いに異なる形状の関係にある表示要素同士は前後方向にずれて見えるように設定されている、
ことを特徴とする立体視訓練具。
【請求項５】
請求項１ないし請求項４のいずれか１項において、
前記表示要素として、透明部分の面積割合が大きい第１表示要素と、透明部分の面積割合の小さい第２表示要素とが設定され、
前記複数の第１表示要素同士が、左右方向に間隔をあけて複数表示され、
前記複数の第２表示要素同士が、左右方向に間隔をあけて、かつ前記第１表示要素と重ならないように上下方向にずらして複数表示されている、
ことを特徴とする立体視訓練具。
【請求項６】
請求項１ないし請求項５のいずれか１項において、
前記透明シートの全面積に対して、前記表示要素を表示することによって非透明とされている部分の面積の割合が５％以下とされている、ことを特徴とする立体視訓練具。
【請求項７】
請求項１ないし請求項６のいずれか１項において、
前記複数の表示要素は、それぞれ無彩色でのみ表示されている、ことを特徴とする立体視訓練具。
【請求項８】
請求項１ないし請求項７のいずれか１項において、
前記透明シートが、ハードボードタイプとされている、ことを特徴とする立体視訓練具。
【請求項９】
請求項１ないし請求項８のいずれか１項において、
前記表示要素が、塗りつぶし部分を有しており、
前記塗りつぶし部分が半透明となるように設定されている。
ことを特徴とする立体視訓練具。
【請求項１０】
請求項１ないし請求項９のいずれか１項において、
前記透明シートに、８ｃｍ以下の左右間隔でもって、左右２つの立体視識別表示が点状として表示されている、ことを特徴とする立体視訓練具。
【請求項１１】
請求項１ないし請求項１０のいずれか１項において、
前記透明シートが複数で１セットとされ、
前記複数の透明シートに表示されている前記表示要素の内容が互いに相違されている、
ことを特徴とする立体視訓練具。
【請求項１２】
請求項１ないし請求項１１のいずれか１項において、
１枚の透明シートに、互いに相違する内容の表示要素がそれぞれ複数表示され、
前記複数の表示要素のうち、互いに相違する表示要素同士は互いに上下方向にずらして表示され、
同一の複数の表示要素同士は、左右方向に間隔をあけて複数表示され、
上下方向にずらして表示された互いに相違する表示要素同士は、その透明度合または非透明部分の面積割合が互いに相違するように設定されている、
ことを特徴とする立体視訓練具。
【考案の詳細な説明】
【技術分野】
【０００１】
本考案は、立体視訓練具に関するものである。
【背景技術】
【０００２】
平面に表示された表示要素が、平行法または交差法によって目視することによって、前後方向にずれて見える立体視状態を得ることが提案されている。非特許文献１には、紙面に描かれた絵柄を平行法または交差法と呼ばれる手法でもって目視すると、絵柄や絵柄に隠れた隠し絵が立体的に見える立体視状態となるものが開示されている（立体視状態で得られる画像の不思議さや美しさを楽しんでもらうためのもの）。
【０００３】
【非特許文献１】株式会社宝島社  ２００３年７月１２日発行  「スペシャル版  どんどん目がよくなるマジカル・アイ」
【考案の開示】
【考案が解決しようとする課題】
【０００４】
ところで、最近では、語学学習等のために、記憶すべき用語を左右方向に間隔をあけて複数表示して、一部の用語の左右方向間隔を他の用語の左右方向間隔と相違させることにって、平行法また交差法で見たときに、一部の用語が他の用語に対して前後方向にずれて見える立体視状態となるようにして、楽しくかつ効果的に記憶学習できる手法が提案されている。このように、平行法または交差法による目視を前提として提供されるものは、もっぱら楽しみを主としたものから、学習を主としたものというように各種の分野に渡って広がる傾向にある。
【０００５】
ところで、平行法または交差法による立体視は、目線の焦点を、表示面（表示画面）から大きくずらして、極めて遠くまたは極めて近くになるようにする必要がある。この一方、日常生活では、表示面に目線の焦点を合わせるクセがあるために、平行法または交差法による目視をできない人が多く存在する。平行法または交差法による目視は、通常であれば、数分〜十数分の訓練によって体得できるが、約４割程度の人は、平行法または交差法による目視が全くできないか、またはできたとしてもほんの一瞬の時間だけというのが実情である。
【０００６】
本考案は以上のような事情を勘案してなされたもので、その目的は、平行法による目視の仕方を容易に体得できるようにした立体視訓練具を提供することにある。
【課題を解決するための手段】
【０００７】
前記目的を達成するため、本考案にあっては次のような解決手法を採択してある。すなわち、実用新案登録請求の範囲における請求項１に記載のように、
透明シートに、表示要素が左右方向に間隔をあけて複数表示され、
前記複数の表示要素のうち一部の表示要素の左右端位置同士での左右間隔を他の表示要素の左右端位置同士での左右間隔と相違させることによって、透明シートを通して遠方を見たときに、前記一部の表示要素が前記他の表示要素に対して前後方向にずれて見える立体視状態とされる、
ようにしてある。
【０００８】
上記解決手法によれば、透明シートの透明部分を通して遠方を見ることができ、これにより目線の焦点を遠方に合わせやすくなって、透明シートに表示されている表示要素が前後方向にずれて見える立体視状態を容易に得ることが可能となる。一旦、立体視状態が得られると、立体視が得られるような目視の仕方を実感でき、次に立体視状態を得ることはより容易となり、このようにして平行法による立体視を行うための目視の仕方を短時間のうちに体得できることになる。
【０００９】
前記表示要素が、外形線によって描かれた図形とされ、
前記図形を示す外形線の外側部分および内側部分がそれぞれ透明とされている、
ようにしてある（請求項２対応）。この場合、表示要素を示す外形線の外側および内側が共に透明なので、透明シートを通して遠方を見やすくして（外形線に目線の焦点がいくのを極力防止して）、平行法による立体視を行うための目視の仕方をより容易に体得することができる。
【００１０】
前記表示要素が、それぞれ全周を外形線で囲まれた大小複数の図形とされ、
大きな図形が、左右方向に間隔をあけて複数表示され、
小さな図形が、大きな図形の中に表示された状態で、左右方向に間隔をあけて複数表示され、
前記大きな図形の左右端位置同士での左右間隔と、前記小さな図形の左右端位置同士での左右間隔とが相違するように表示されて、透明シートを通して遠方を見たときに、大きな図形に対して小さな図形が前後方向にずれて見えるように設定されている、
ようにしてある（請求項３対応）。この場合、請求項３に対応した効果とほぼ同様の効果を得つつ、前後方向にずれて見える表示要素同士が内外の関係なるようにして、立体視状態を容易に得るようにする上で好ましいものとなる。
【００１１】
互いに相違する形状とされた複数種の表示要素が前記透明シートに表示されており、
互いに同一形状とされた複数の表示要素同士は互いに同一の上下位置でもって左右方向に間隔をあけて表示され、
互いに異なる形状の表示要素同士は、重ならないように上下方向にずらして表示され、
前記透明シートを通して遠方を見たときに、互いに同一形状の関係にある複数の表示要素同士は前後方向同一の位置に見えると共に、互いに異なる形状の関係にある表示要素同士は前後方向にずれて見えるように設定されている、
ようにしてある（請求項４対応）。この場合、立体視したときに、同一形状の表示要素は前後方向同一位置に見えると共に、形状の相違する表示要素同士は互いに前後方向にずれて見えるので、形状に応じた前後方向位置が整然とされて、立体視状態を容易に得る上で好ましものとなる。
【００１２】
前記表示要素として、透明部分の面積割合が大きい第１表示要素と、透明部分の面積割合の小さい第２表示要素とが設定され、
前記複数の第１表示要素同士が、左右方向に間隔をあけて複数表示され、
前記複数の第２表示要素同士が、左右方向に間隔をあけて、かつ前記第１表示要素と重ならないように上下方向にずらして複数表示されている、
ようにしてある（請求項５対応）。この場合、透明部分の面積割合が大きくなるほど目線の焦点を遠方へ合わせずらくなるが、目線の焦点を遠方へ合わせ易い表示要素と合わせにくい表示要素とを上下方向にずらして表示させて、１枚の透明シートによって、平行法による目視の仕方を訓練する際に初級訓練用と上級訓練用とで兼用させることができる。
【００１３】
前記透明シートの全面積に対して、前記表示要素を表示することによって非透明とされている部分の面積の割合が５％以下とされている、ようにしてある（請求項６対応）。この場合、透明シートを通して遠方を見ることのできる面積割合を極力大きく設定して、平行法による目視の仕方を体得する上で好ましいものとなる。
【００１４】
前記複数の表示要素は、それぞれ無彩色でのみ表示されている、ようにしてある（請求項７対応）。この場合、表示要素を、注意を喚起されにくい無彩色のみで表示することによって、目線の焦点を、表示要素に向けさせることなく透明シートを通して遠方に向けさせることがより容易となり、平行法による目視の仕方をより効果的に体得させる上で好ましいものとなる。
【００１５】
前記透明シートが、ハードボードタイプとされている、ようにしてある（請求項８対応）。この場合、透明シートの端部を片手で把持するだけで、透明シートを平面状に保持することができ、立体視する際の使い勝手のよいものとなり、また耐久性の上でも好ましいものとなる。
【００１６】
前記表示要素が、塗りつぶし部分を有しており、
前記塗りつぶし部分が半透明となるように設定されている。
ようにしてある（請求項９対応）。この場合、表示要素を複雑な表示として、立体視の訓練を受ける者の楽しみを増やしつつ、透明シートを通して遠方を見る際に、塗りつぶし部分が邪魔になってしまう事態を低減することができる。
【００１７】
前記透明シートに、８ｃｍ以下の左右間隔でもって、左右２つの立体視識別表示が点状として表示されている、ようにしてある（請求項１０対応）。この場合、透明シートを通して遠方を見たときに、２つの立体視識別表示が合計３つ見えるか否かによって、実際に立体視されている状態であるか否かを容易に判断することができる。
【００１８】
前記透明シートが複数で１セットとされ、
前記複数の透明シートに表示されている前記表示要素の内容が互いに相違されている、
ようにしてある（請求項１１対応）。この場合、立体視訓練に際して、表示内容が相違する透明シートを、立体視し易い表示内容のものから立体視しにくい表示内容のものへと順次変更して使用することにより（立体視訓練を初級向け用から上級向け用へと順次変更して使用することにより）、立体視訓練をより効果的に行うことができる。
【００１９】
１枚の透明シートに、互いに相違する内容の表示要素がそれぞれ複数表示され、
前記複数の表示要素のうち、互いに相違する表示要素同士は互いに上下方向にずらして表示され、
同一の複数の表示要素同士は、左右方向に間隔をあけて複数表示され、
上下方向にずらして表示された互いに相違する表示要素同士は、その透明度合または非透明部分の面積割合が互いに相違するように設定されている、
ようにしてある（請求項１２対応）。この場合、１枚の透明シートでもって、立体視状態を得ることの難易度を相違させた表示態様とすることができる。
【考案の効果】
【００２０】
本考案によれば、平行法による目視の仕方を容易に体得することができる。また、透明シートに表示要素を表示するだけでよいので、構成も簡単でコスト的にも好ましいものとなる。
【考案を実施するための最良の形態】
【００２１】
図１は本考案による立体視訓練具を示し、図２は、図１に符合を追加して示すものである（図１の複写に符合を追加したものに相当）。また、後述する各表示要素は、透明シート１に表示されて（描かれて）いるが、透明シート１は、本出願の図面に相当する用紙を透明にしたものに相当する。また、透明シート１としては、各種の透明シートを利用できるが、ハードボードタイプ（例えば硬質合成樹脂板）のものを用いるのが、透明シート１の端部を片手で把持するだけでも平面状態を保持できるので、使い勝手向上の上で好ましいものとなる。なお、透明シート１の大きさは、例えばＡ４版用紙やＢ５版用紙のように、規格の大きさの用紙を用いるのが好ましい。
【００２２】
図２において、第１の表示要素としての四角形がＢ１〜Ｂ４として４つ示される。この第１の表示要素Ｂ１〜Ｂ４は、互いに同一形状（同一の大きさ）に設定されて、例えばその左右端位置同士での左右方向間隔が等間隔（間隔をＬＢとする）で、かつ上下方向同一位置に表示されている。
【００２３】
第２の表示要素としての四角形がＣ１〜Ｃ４として４つ示される。この第２の表示要素Ｃ１〜Ｃ４は、第１の表示要素Ｂ１〜Ｂ４よりも小さい形状とされて、第１の表示要素Ｂ１〜Ｂ４内に表示されている（Ｂ１内にＣ１が表示され、Ｂ２内にＣ２が表示され、以下同じ）。この第２の表示要素Ｃ１〜Ｃ４は、互いに同一形状（同一の大きさ）に設定されて、例えばその左右端位置同士での左右方向間隔が等間隔（間隔をＬＣとする）で、かつ上下方向同一位置に表示されている。第２の表示要素Ｃ１〜Ｃ４間の間隔ＬＣは、第１の表示要素Ｂ１〜Ｂ４間の間隔ＬＢよりも小さくなるように設定されている。このような間隔設定によって、後述する平行法による立体視を行ったときに、第１の表示要素Ｂ１〜Ｂ４に対して、第２の表示要素Ｃ１〜Ｃ４が前方にずれて見える設定とされている。
【００２４】
実施形態では、各第１の表示要素Ｂ１〜Ｂ４の角部が、第２の表示要素Ｃ１〜Ｃ４の隣接する角部に対して、連結線αによって結ばれている。連結線αは、表示要素Ｂ１とＣ１、Ｂ２とＣ２、Ｂ３とＣ３、Ｂ４とＣ４とが、あたかも１つの図形のように示すために描かれているが、連結線αはかならずしも必要としないものである。
【００２５】
第３の表示要素が符合Ｄ１〜Ｄ４で４つ示され、第４の表示要素が符合Ｅ１〜Ｅ５で４つ示され、第５の表示要素が符合Ｆ１〜Ｆ４で４つ示され、第６の表示要素が符合Ｇ１〜Ｇ４で４つ示される。第３〜第６の表示要素は、それぞれ円形とされると共に、互いに相違する大きさ（直径）とされている。そして、第３の表示要素Ｄ１〜Ｄ４の中に第４の表示要素Ｅ１〜Ｅ５が表示されている（Ｄ１内にＥ１が表示されているということ−以下同じ）。また、第４の表示要素Ｅ１〜Ｅ４の中に第５の表示要素Ｆ１〜Ｆ４が表示されている（Ｅ１内にＦ１が表示されているということ−以下同じ）。さらに、第５の表示要素Ｆ１〜Ｆ４の中に第６の表示要素Ｇ１〜Ｇ４が表示されている（Ｆ１内にＧ１が表示されているということ−以下同じ）。
【００２６】
第３の表示要素Ｄ１〜Ｄ４同士の左右間隔（例えば左右端位置同士での左右方向間隔−以下同じ）は等間隔（ＬＤ）とされ、同様に、第４の表示要素Ｅ１〜Ｅ４同士の左右間隔（ＬＥ）も等間隔とされ、第５の表示要素Ｆ１〜Ｆ４同士の左右間隔（ＬＦ）も等間隔とされ、第６の表示要素Ｇ１〜Ｇ４同士の左右間隔も等間隔（ＬＧ）とされている。そして、実施形態では、ＬＤ＞ＬＥ＞ＬＦ＞ＬＧとなるように設定されている。このような間隔設定によって、後述する平行法による立体視を行ったときに、奥側（後側）から手前側に順次、第３の表示要素Ｄ１１〜Ｄ４、第４の表示要素Ｅ１〜Ｅ４、第５の表示要素Ｆ１〜Ｆ４、第６の表示要素Ｇ１〜Ｇ４が前後方向にずれて見えるような設定とされている。
【００２７】
図２において、第７の表示要素が符合Ｈ１〜Ｈ４で４つ示され、第８の表示要素が符合Ｊ１〜Ｊ４で４つ示される。第７の表示要素Ｈ１〜Ｈ４は、それぞれ同一形状の四角形でかつ同一の大きさとされ（互いに複写の関係）、その左右端位置同士での間隔は互いに等間隔（ＬＨ）に設定されている。
【００２８】
また、第８の表示要素Ｊ１〜Ｊ５は、それぞれ、右向き矢印の形状に設定されて、その大きさは互いに等しくなるように設定されている（互いに複写の関係）。この第８の表示要素Ｊ１〜Ｊ５は、例えばその左右端位置同士での左右間隔が、右にいくほど徐々に小さくなるように設定されており、かつその最大左右間隔（ＬＪ１）は、第７の表示要素Ｈ１〜Ｈ４同士の左右間隔ＬＨよりも小さく設定されている。
【００２９】
第７の表示要素Ｈ１〜Ｈ４と第８の表示要素Ｊ１〜Ｊ５は、後述する平行法で目視したときには、第７の表示要素Ｈ１〜Ｈ４は全て前後方向同一位置（同一平面）に見える一方、第８の表示要素Ｊ１〜Ｊ５については、第７の表示要素Ｈ１〜Ｈ４の手前側で、かつ右側に位置するものほどより手前側に見えるような設定となっている。
【００３０】
図２において、表示要素Ａ１およびＡ２は、立体視できているか否かの識別用の表示要素で、表示要素Ａ１とＡ２とは点状（実施形態では小さな４角形を塗りつぶした形状）に設定されて、その左右間隔は、成人の左右の瞳の間隔と同じ（ほぼ同じ）かそれよりも小さく設定してある。すなわち、表示要素Ａ１とＡ２との左右間隔は例えば８ｃｍ以下に設定されて、後述する平行法で見たとき、表示要素Ａ１、Ａ２に相当するものが、左右方向に間隔をあけて合計３つ見えたときに、立体視状態となっていることになる（表示要素Ａ１とＡ２との最小間隔は特に問わないが、１〜２ｃｍというように極めて小さく設定することも可能）。換言すれば、平行法（交差法でも同じ）で立体視状態が得られているときは、通常視において見える数よりも１つだけ多い数が見えることになるので、表示要素Ａ１、Ａ２に相当するものが左右方向に間隔をあけて３つ見えていれば、立体視状態が得られているということが確認されることになる。
【００３１】
前述した各表示要素のうち、Ｂ１〜Ｂ４、Ｃ１〜Ｃ４、Ｄ１〜Ｄ４、Ｅ１〜Ｅ４、Ｆ１〜Ｆ４、Ｇ１〜Ｇ４、Ｈ１〜Ｈ４は、それぞれ、その外形線以外の部分が透明となるように、つまり外形線の外側と内側とがそれぞれ透明となるように表示されている。これに対して、第８の表示要素Ｊ１〜Ｊ５は、塗りつぶしで太く表示されており、その外形線の内側部分が非透明となっている。このように、第８の表示要素Ｊ１〜Ｊ５は、他の表示要素に比して、注意を喚起しやすく（目線の焦点を引き寄せやすい）、しかも透明シート１（紙面に相当）を通して遠方に焦点を合わせづらい設定となっている。
【００３２】
図１において、透明シート１を通して遠方を見たとき（本出願の図１の図面用紙を通して遠方を見たとき）、つまり平行法で立体視したとき、各表示要素は次のように見えることになる。まず、第１の表示要素Ｂ１〜Ｂ４と第２の表示要素Ｃ１〜Ｃ４との関係では、第１の表示要素Ｂ１〜Ｂ４が互いに同一平面上に位置するように、また第２の表示要素Ｃ１〜Ｃ４が互いに同一平面上に位置するように見え、しかも第２の表示要素Ｃ１〜Ｃ４が第１の表示要素Ｂ１〜Ｂ４の手前側に見えることになる。
【００３３】
平行法で見たとき、第３の表示要素Ｄ１〜Ｄ４から第６の表示要素Ｇ１〜Ｇ４の関係では、まず、第３の表示要素Ｄ１〜Ｄ４同士は同一平面上にあるように見え、第４の表示要素Ｆ１〜Ｅ４同士は同一平面上にあるように見え、第５の表示要素Ｆ１〜Ｆ４同士は同一平面上にあるように見え、第６の表示要素Ｇ１〜Ｇ４同士は同一平面上にあるように見える。これに加えて、奥側（後側）から手前側に順次、第３の表示要素Ｄ１〜Ｄ４、第４の表示要素Ｅ１〜Ｅ４、第５の表示要素Ｆ１〜Ｆ４、第６の表示要素Ｇ１〜Ｇ４が前後方向にずれて見える。
【００３４】
平行法で見たとき、第７の表示要素Ｈ１〜Ｈ４と第８の表示要素Ｊ１〜Ｊ５については、第７の表示要素Ｈ１〜Ｈ４同士は同一平面上にあるように見える一方、第８の表示要素Ｊ１〜Ｊ５については、第７の表示要素Ｈ１〜Ｈ４の手前側で、かつ右側に位置するものほど手前側に見える。
【００３５】
平行法で見たとき、第１の表示要素Ｃ１〜Ｃ４と第３の表示要素Ｄ１〜Ｄ４とはほぼ同一平面上にあるように見えるのに対して、第７の表示要素Ｈ１〜Ｈ４は、第１の表示要素Ｃ１〜Ｃ４および第３の表示要素Ｄ１〜Ｄ４に対して手前側に見える。
【００３６】
第１〜第７の表示要素Ｂ１〜Ｂ４、Ｃ１〜Ｃ４、Ｄ１〜Ｄ４、Ｅ１〜Ｅ４、Ｆ１〜Ｆ４〜Ｇ１〜Ｇ４、Ｈ１〜Ｈ４のように、表示要素を外形線のみで示す方が、その周囲に透明部分を多く確保できて、透明シート１を通して遠方を見やすいものとなる。また、表示要素の外形線を、黒色（無彩色ということ）のみで表示する方が、例えば赤色や緑色のような有彩色で表示する場合に比して、見る者の注意を喚起しにくくなって、透明シート１を通して遠方を見やすくさせる設定となる。なお、外形線を有彩色で表示してもよい。
【００３７】
図３は、本考案の第２の実施形態を示すものである。本実施形態では、透明シート１に、「ｃｈｉｍｎｅｙ」という英語（原語）と、その日本語への翻訳語「煙突」と、その意味するとことを示す「煙突の図形」とが、それぞれ左右方向に複数表示されている。複数の煙突の図形は、上下方向同一位置に表示されて、その左右方向間隔は互いに等しく設定されている。複数の原語は、煙突の図形の下方位置において、上下方向同一位置に表示されると共に、その左右方向間隔は互いに等しく設定されている。複数の翻訳語は、原語の下方位置において、上下方向同一位置に表示されると共に、その左右方向間隔は互いに等しく設定されている。
【００３８】
複数の煙突の図形同士の左右方向間隔がもっとも大きく、次いで複数の原語同士の左右方向間隔が大きく、複数の翻訳語の左右方向間隔がもっとも小さくなるように設定されている。これにより、透明シート１を通して遠方を見たとき（平行法で見たとき）、複数の煙突の図形が同一平面上においてもっとも奥側に見え、複数の翻訳語が同一平面上においてもっとも手前側に見え、複数の原語が同一平面上において中間の位置に見える立体視状態とされる。
【００３９】
図１と図３に示すように、表示されている表示要素が互いに相違された複数枚の透明シート１を用意して、立体視訓練具とすることもできる。この場合、透明シート１毎に、立体視をし易くした表示内容と、立体視がしにくい表示内容とに分けて、立体視に慣れるにしたがって立体視しにくい表示内容の透明シート１を用いた立体視訓練へと移行させることができる。勿論、表示内容（表示要素）が互いに相違された１セットとされる透明シート１の枚数は、３枚以上であってもよい。
【００４０】
図４は、本考案の第３の実施形態を示すものである。本実施形態では、符合は省略してあるが、透明シート１に、図２におけるＡ１、Ａ２とＢ１〜Ｂ４とＣ１〜Ｃ４に相当するものを、上下方向にずらして３列表示してある。図４の実施形態では、上下同じ高さ位置にある図形Ａ１、Ａ２とＣ１〜Ｃ４（の内部）の透明度合は互いに同じに設定してある。これに対して、上下３列の間では、Ａ１、Ａ２とＣ１〜Ｃ４（の内部）については、その透明度合を相違させてある。すなわち、図形Ｃ１〜Ｃ４に着目して説明すると（Ａ１、Ａ２についても同じ）、もっとも上方に位置する図形Ｃ１〜Ｃ４がもっとも透明度が高く、もっとも下方に位置する図形Ｃ１〜Ｃ４の透明度合がもっとも低く（実施形態では完全に非透明とされている）、上下中間位置の図形Ｃ１〜Ｃ４が中間の透明度合とされている。勿論、立体視状態を得やすいのは、もっとも上方に位置する図形Ｃ１〜Ｃ４で、次いで上下中間に位置する樹系Ｃ１〜Ｃ４であり、もっとも下方に位置する図形Ｃ１〜Ｃ４がもっとも立体視状態を得にくいものとなる。
【００４１】
図５は、本考案の第４の実施形態を示すものであり、図４の変形例ともなるものである。すなわち。本実施形態では、図４の実施形態の場合と同様に、上下３列の表示内容が、もっとも上方の列に位置して表示されているものがもっとも透明度合が高く、もっとも下方の列に位置して表示されているものが最も透明度合が低く、上下中間の列に位置して表示されているものが中間の透明度合とされている。なお、図５の実施形態では、平行法または交差法にて目視したとき、左右に隣合う花柄模様同士が、前後方向にずれて見える設定となっている。
【００４２】
以上実施形態について説明したが、本考案はこれに限らず、例えば次のような場合もを含むものである。表示要素としては、同じ図形のみであってもよい。また、表示要素としては、図形に限らず、イラスト、漫画、写真、文字等適宜のものを利用できるが、透明シート１の全面積に対して、表示要素の占める面積（非透明部分の面積）を極力小さくすること、他Ｂａ１０％以下、好ましくは５％以下に設定するのが好ましいものである。また、表示要素を塗りつぶすように表示する場合は、塗りつぶし部分を完全に不透明にすることなく、半透明にすることによって、透明シート１を通して遠方を見やすいものとなる（例えば、第８の表示要素Ｊ１〜Ｊ４の内側部分を半透明にする）。透明シート１としては、ハードボードタイプのものを利用するのが（例えば硬質合成樹脂板を使用）、片手で透明シート１を把持して立体視することができるので、使い勝手向上の上で好ましいが、可撓性を有するシートであってもよい。表示要素を表示する際に、複数の有彩色を用いて適宜色づけすることもできるが、大きな面積部分を有する場合は、上述のように半透明にしておくのが好ましいものである。勿論、本考案の目的は、明記されたものに限らず、実質的に好ましいあるいは利点として表現されたものを提供することをも暗黙的に含むものである。
【図面の簡単な説明】
【００４３】
【図１】本考案の一実施形態を示す平面図。
【図２】図１を複写した図で、説明のための符合を追加して示す図。
【図３】本考案の第２の実施形態を示すもので、図１に対応した図。
【図４】本考案の第３の実施形態を示す図。
【図５】本考案の第４の実施形態を示す図。
【符号の説明】
【００４４】
１：透明シート
Ａ１、Ａ２：立体視識別表示
Ｂ１〜Ｂ４：第１の表示要素
Ｃ１〜Ｃ４：第２の表示要素
Ｄ１〜Ｄ４：第３の表示要素
Ｅ１〜Ｅ４：第４の表示要素
Ｆ１〜Ｆ４：第５の表示要素
Ｇ１〜Ｇ４：第６の表示要素
Ｈ１〜Ｈ４：第７の表示要素
Ｊ１〜Ｊ４：第８の表示要素
【図１】
0003139376.tif 000003
【図２】
0003139376.tif 000004
【図３】
0003139376.tif 000005
【図４】
0003139376.tif 000006
【図５】
0003139376.tif 000007